(57)【要約】【課題】内容器の外表面に補強繊維層を有するタンクを製造する際の、補強繊維層における樹脂への加熱方法を改善し、良好な性状を有する補強繊維層を形成することができる、タンクの製造方法及び製造装置を提供すること。【解決手段】ライナー３の外表面に、樹脂１１を含浸した繊維１２を巻回し且つ樹脂１２を熱硬化することで補強繊維層４を形成するタンクの製造方法において、ライナー３の内部にマイクロ波照射装置２４を配置し、マイクロ波照射装置２４によってライナー３の内部から樹脂１１を加熱するようにした。【選択図】図３
2012148521.tif 000002
【特許請求の範囲】
【請求項１】
内容器の外表面に補強繊維層を有するタンクを製造する方法であって、前記内容器の外表面に、樹脂を含浸した繊維を巻回し且つ当該樹脂を熱硬化することで前記補強繊維層を形成する、タンクの製造方法において、
前記内容器の内部にマイクロ波照射装置を配置し、当該マイクロ波照射装置によって前記内容器の内部から前記樹脂を加熱する、タンクの製造方法。
【請求項２】
マイクロ波を前記内容器の外表面に向けて反射する反射部材を前記内容器の外表面に対向するように設けた状態で、前記マイクロ波照射装置による加熱を行う、請求項１に記載のタンクの製造方法。
【請求項３】
前記反射部材は、前記内容器の外表面を覆うように設けられる、請求項２に記載のタンクの製造方法。
【請求項４】
前記反射部材は、前記内容器の外表面の対向する部位に応じて、マイクロ波の反射率が異なるか又は前記内容器の外表面に対する距離が異なる、請求項３に記載のタンクの製造方法。
【請求項５】
前記マイクロ波照射装置による加熱中、当該マイクロ波照射装置に対して前記内容器をその軸線回りに相対的に回転させる、請求項１ないし４のいずれか一項に記載のタンクの製造方法。
【請求項６】
前記マイクロ波照射装置による加熱中、前記マイクロ波照射装置に対して前記内容器をその軸線方向に相対的に移動させる、請求項１ないし５のいずれか一項に記載のタンクの製造方法。
【請求項７】
前記内容器は、樹脂製のライナである、請求項１ないし６のいずれか一項に記載のタンクの製造方法。
【請求項８】
前記補強繊維層は、ＣＦＲＰである、請求項１ないし７のいずれか一項に記載のタンクの製造方法。
【請求項９】
内容器の外表面に補強繊維層を有するタンクを製造する製造装置であって、
前記内容器の外表面に、樹脂を含浸した繊維を巻回する繊維巻付け装置と、
前記内容器の内部に配置され、前記内容器の内部から前記樹脂を加熱し、当該樹脂を熱硬化させることで前記補強繊維層を形成するマイクロ波照射装置と、を備えた、タンクの製造装置。
【発明の詳細な説明】
【技術分野】
【０００１】
本発明は、例えばＣＦＲＰ（Carbon Fiber Reinforced Plastics）などからなる補強繊維層を内容器の外表面に有するタンクを製造する方法及び装置に関するものである。
【背景技術】
【０００２】
例えば車両に搭載される燃料電池システムには、燃料ガスの供給源として高圧水素タンクが用いられる。高圧水素タンクの製造では、一般に、略円筒状の内容器の外周面に、熱硬化性樹脂を含浸した繊維を巻き付け、その後、巻き付けた繊維の熱硬化性樹脂を熱硬化し、それにより補強繊維層を内容器の外周面に形成する。
【０００３】
この熱硬化の方法として、熱風を吹きつける方法や高周波誘電加熱方法が知られている。例えば特許文献１では、一対の電極間にＣＦＲＰ製円筒を配置し、該電極間に高周波を発生させることで、ＣＦＲＰ製円筒における熱硬化性樹脂を熱硬化している。
【先行技術文献】
【特許文献】
【０００４】
【特許文献１】特開昭６１−１４４３３２号公報
【発明の概要】
【発明が解決しようとする課題】
【０００５】
しかしながら、特許文献１に記載の如くＣＦＲＰ製円筒をその外部から加熱する場合、ＣＦＲＰ表面の毛羽（炭素繊維の毛羽）に電荷が蓄積し、アーク放電が起きるおそれがある。アーク放電が起きると、熱硬化性樹脂に焦げや分解が生じるため、補強繊維層ひいてはタンクの強度を低下させるおそれがある。
【０００６】
そこで、本発明は、樹脂への加熱方法を改善し、もって良好な性状を有する補強繊維層を形成することができる、タンクの製造方法及び製造装置を提供することをその目的としている。
【課題を解決するための手段】
【０００７】
上記目的を達成するべく、本発明のタンクの製造方法は、内容器の外表面に補強繊維層を有するタンクを製造する方法であって、内容器の外表面に、樹脂を含浸した繊維を巻回し且つ樹脂を熱硬化することで補強繊維層を形成するものにおいて、内容器の内部にマイクロ波照射装置を配置し、マイクロ波照射装置によって内容器の内部から樹脂を加熱するものである。
【０００８】
また、上記目的を達成するべく、本発明のタンクの製造装置は、内容器の外表面に補強繊維層を有するタンクを製造する製造装置であって、内容器の外表面に、樹脂を含浸した繊維を巻回する繊維巻付け装置と、内容器の内部に配置されて内容器の内部から樹脂を加熱し、樹脂を熱硬化させることで補強繊維層を形成するマイクロ波照射装置と、を備えたものである。
【０００９】
本発明によれば、内容器の内部からマイクロ波が照射されることで樹脂の加熱がなされるので、内容器の外表面にマイクロ波が直接照射されずに済む。これにより、内容器の外表面にある繊維に毛羽があったとしても、その毛羽への電荷の蓄積を十分に抑制することができるため、毛羽によるアーク放電の発生を十分に抑制することができる。よって、上述した焦げ等が生じない、表面性状が良好な補強繊維層を形成することができる。
【００１０】
好ましくは、マイクロ波照射装置による加熱は、マイクロ波を内容器の外表面に向けて反射する反射部材を内容器の外表面に対向するように設けた状態で行うとよい。
【００１１】
マイクロ波照射装置による加熱中、マイクロ波は内容器の内部から外部へと透過し得る。この点、上記の好ましい態様によれば、透過したマイクロ波が反射部材によって内容器の外表面に再び照射される。これにより、エネルギー効率を高めながら、樹脂の加熱を促進することができる。
【００１２】
ここで、内容器の外表面に再び照射されるマイクロ波（以下、反射マイクロ波という場合がある。）は、内容器を一旦透過したものであるため、エネルギーが下がっている。そのため、反射マイクロ波による内容器の外表面のアーク放電は発生し難い状況となっており、また、そうすることが可能である。
【００１３】
好ましくは、反射部材は、内容器の外表面を覆うように設けられるとよい。
【００１４】
こうすることで、内容器の内部から外部へと透過したマイクロ波の全て又はほとんどを、反射マイクロ波として樹脂の加熱に供することができる。これにより、エネルギー効率をより高めることに加え、製造装置の体格を小さくすることも可能となる。
【００１５】
より好ましくは、反射部材は、内容器の外表面の対向する部位に応じて、マイクロ波の反射率が異なるか又は内容器の外表面に対する距離が異なるとよい。
【００１６】
こうすることで、反射マイクロ波を利用して、例えば内容器の外表面の全体を同等の加熱量にて加熱することが可能となる。
【００１７】
好ましくは、マイクロ波照射装置による加熱中、マイクロ波照射装置に対して内容器をその軸線回りに相対的に回転させるとよい。また、同様に、好ましくは、マイクロ波照射装置による加熱中、マイクロ波照射装置に対して内容器をその軸線方向に相対的に移動させるとよい。
【００１８】
こうすることで、内容器の相対回転又は相対移動により、マイクロ波が照射される内容器の領域を移動させることができる。これにより、内容器に対するマイクロ波の照射領域を広くすることができると共に、内容器の内部に配置するマイクロ波照射装置を小型化・簡素化することができる。
【００１９】
好ましくは、内容器は樹脂製のライナであるとよく、補強繊維層はＣＦＲＰであるとよい。
【図面の簡単な説明】
【００２０】
【図１】実施形態に係るタンクを搭載した燃料電池自動車を示す模式図である。
【図２】実施形態に係るタンクの製造装置における繊維巻付け装置の概略を、当該タンクの一部の断面とともに示す図である。
【図３】実施形態に係るタンクの製造装置におけるマイクロ波照射装置の概略をタンクとともに示す図である。
【発明を実施するための形態】
【００２１】
以下、添付図面を参照して、本発明の好適な実施形態に係るタンクの製造方法及び製造装置について説明する。ここでは、タンクとして、常圧よりも高い圧力で内容物を貯留可能な高圧タンクを例に説明する。
【００２２】
図１に示すように、燃料電池自動車１００は、例えば３つの高圧タンク１を車体のリア部に搭載する。各高圧タンク１は、燃料電池システム１０１の一部を構成し、ガス供給ライン１０２を通じて燃料電池１０４に燃料ガスを供給する。高圧タンク１に貯留される燃料ガスは、可燃性の高圧ガスであり、例えば２０ＭＰａの圧縮天然ガス、又は、例えば３５ＭＰａあるいは７０ＭＰａ水素ガスである。なお、高圧タンク１は、車両のみならず、各種移動体（例えば、船舶や飛行機、ロボットなど）や定置設備（住宅、ビルなど）にも適用することができる。
【００２３】
図２に示すように、高圧タンク１は、内部に貯留空間２が画成されるように中空状に形成されたライナー３と、ライナー３の外表面を覆う補強繊維層４と、を有する。また、高圧タンク１を全体形状の観点から見れば、高圧タンク１は、円筒状の胴部６ａと、胴部６ａから離れるにつれて縮径する略半球体状の一対のドーム部６ｂ、６ｂと、を有し、胴部６ａ及び一対のドーム部６ｂ、６ｂによって、全体として例えば略楕円体状に形成されていると言える。一対のドーム部６ｂ、６ｂの少なくとも一方の端部中央には、ライナー３の開口部を画定する口金８（参照：図３）が設けられており、この口金８に接続するバルブアッセンブリ（図示省略）を介して、貯留空間２とガス供給ライン１０２との間で燃料ガスの供給／排出がなされる。
【００２４】
ライナー３は、高圧タンク１の内容器とも換言される部分である。ライナー３は、ガスバリア性を有し、貯留ガスの外部への透過を抑制する。ライナー３の材質は、特に制限されるものではなく、例えば、金属を用いることができるが、ポリエチレン樹脂やポリプロピレン樹脂その他の硬質樹脂を用いるのが好適である。
【００２５】
補強繊維層４は、高圧タンク１の外容器とも換言される部分である。補強繊維層４は、ライナー３の外表面のほぼ全面（口金８を除いた部分）に形成され、高圧タンク１を補強する役割を果たす。補強繊維層４は、マトリックス樹脂１１（以下、単に「樹脂１１」という。）を含浸した繊維１２をライナー３の外表面に巻回した後で、その樹脂を熱硬化してなるものである。
【００２６】
樹脂１１は、例えば、エポキシ樹脂、変性エポキシ樹脂、不飽和ポリエステル樹脂などであり、ここでは熱硬化性のエポキシ樹脂を用いている。
繊維１２は、例えば、金属繊維、ガラス繊維、カーボン繊維、アルミナ繊維、アラミド繊維、天然有機繊維などである。これらの中では、カーボン繊維、アラミド繊維が特に好ましく、ここでは、カーボン繊維を用いている。
したがって、本実施形態の補強繊維層４は、エポキシ樹脂１１がカーボン繊維１２で補強されたＣＦＲＰである。
【００２７】
樹脂１１と繊維１２との含有割合としては、樹脂及び繊維の種類、繊維強化方向、厚さ等に依存するが、通常、好ましくは樹脂１１：繊維１２＝１０〜８０体積％：９０〜２０体積％、より好ましくはその比が２５〜５０体積％：７５〜５０体積％とされる。なお、補強繊維層４は、これらの構成材料の他に適宜の添加剤を含んでいてもよい。
【００２８】
次に、高圧タンク１の製造方法、特に補強繊維層４を形成するプロセスについて説明する。
【００２９】
このプロセスでは、樹脂１１を含浸した繊維１２をライナー３の外表面に巻回する巻付け工程と、巻き付けた繊維１２に含浸している樹脂１１を熱硬化することで補強繊維層４を形成する硬化工程と、が行われる。そのため、高圧タンク１の製造装置２０は、巻付け工程を実行する繊維巻付け装置２２（参照：図２）と、硬化工程を実行するマイクロ波照射装置２４（参照：図３）と、を有している。なお、図２及び図３では補強繊維層４を示しているが、上述のとおり、補強繊維層４は、硬化工程を経ることで形成されるものである。
【００３０】
図２に示すように、繊維巻付け装置２２は、ボビン２４から繊維１２を繰り出し、その張力を張力調整部２５で調整して、液状の樹脂１１を貯留した樹脂槽２６に浸す。これにより、繊維１２に樹脂１１を含浸させる。その後、繊維巻付け装置２２は、樹脂１１を含浸した繊維１２を、所定の張力でライナー３の外表面に巻き付ける。この巻き付けは、シャフト２７にライナー３を取り付け、シャフト２７と共にライナー３を軸回りに回転させ、回転中のライナー３に対し、供給ユニット２８から繊維１２を供給することで行う。なお、他の実施態様では、供給ユニット２８からライナー３に供給される繊維１２は、プリプレグ状態のものであってもよい。
【００３１】
ここで、巻き付け方法としては、例えば、フィラメントワインディング法（ＦＷ法）やテープワインディング法等が挙げられるが、その中でも、ＦＷ法を用いると好適である。本実施形態では、ＦＷ法により繊維１２をライナー３に巻回する際、フープ巻き及びヘリカル巻き等の、繊維１２の巻き方向を異ならせた巻付けを行っている。それゆえ、熱硬化後の補強繊維層４は、繊維１２の巻き方向が異なる複数層（例えば、内側の層はフープ巻きによる層で、外側の層はヘリカル巻きによる層）から構成される。
【００３２】
図３に示すように、マイクロ波照射装置２４は、ライナー３の内部に配置されて、ライナー３の内部からマイクロ波を出射することで、繊維１２に含浸した樹脂１１を加熱するものである。
【００３３】
マイクロ波照射装置２４による加熱は、繊維１２の巻き方向が同じである一タクトの巻き付けが終わる度に行ってもよいし、複数の巻き方向への巻付けが終わる度に行ってもよいし、複数の巻き方向への巻付けが全て終わった段階で一括して行ってもよい。また、マイクロ波照射装置２４による加熱は、樹脂１１を熱硬化する場合のみならず、一時的に樹脂１１をゲル化する場合にも行うことができる。
【００３４】
マイクロ波照射装置２４は、ライナー３の内部に配置されるにあたり、ライナー３の開口部（上述した口金８により画定されるか、口金８が設けられていない場合にはライナー３自身によって画定される。）からライナー３の内部に挿入される。このため、マイクロ波照射装置２４の体格は、ライナー３の開口部を通過できるように、当該開口部よりも小さいことが好ましい。また、マイクロ波照射装置２４は、ライナー３の内部において、図３に示す如くライナー３の軸線上に配置されるとよい。
【００３５】
ただし、他の実施態様では、マイクロ波照射装置２４の体格を可変できるように構成してもよい。例えば、ライナー３の開口部よりも小さい第１の構造体と、ライナー３の開口部よりも大きい第２の構造体との間で可変できるように、マイクロ波照射装置２４を構成してもよい。こうすることで、使用しないときのマイクロ波照射装置２４の保管のためのスペースを広く占有せずに済むと共に、使用時には、ライナー３の内部に配置した後で第２の構造体に変更することで、マイクロ波照射装置２４からのマイクロ波の出射ポイントをライナー３の内面に近づけ易いという点で利点がある。
【００３６】
マイクロ波照射装置２４は、マイクロ波発生器によりマイクロ波を発生させ、これをライナー３の内面に向けて照射するものであり、公知の装置を用いることができる。マイクロ波発生器としては、クライストロン、ジャイロトロンなどを使用することもできるが、低コストの観点からはマグネトロンを用いることが好ましい。
【００３７】
ここで、マイクロ波照射装置２４による加熱中は、ライナー３をシャフト３２に取り付け、シャフト３２と共にライナー３をその軸線回りに回転させるとよい。また、マイクロ波照射装置２４による加熱中は、マイクロ波照射装置２４をライナー３の軸線方向に往復移動させるとよい。このような加熱形態をとることで、マイクロ波が照射されるライナー３の内面の領域を移動させることができるので、ライナー３の内面に対するマイクロ波の照射領域を広くして、ライナー３の内面を満遍なく照射することが可能となる。なお、マイクロ波照射装置２４の往復移動は、マイクロ波照射装置２４を支持する支持ユニット３４を介して行うことができる。
【００３８】
他の実施態様では、マイクロ波照射装置２４をライナー３の軸線回りに回転させてよいし、ライナー３を軸線方向に往復移動させてもよい。要するに、マイクロ波照射装置２４に対して、ライナー３を軸線回りに相対回転させたり、ライナー３を軸線方向に相対移動させたりすれば、上記した広い照射領域を確保しつつ、マイクロ波照射装置２４を小型化・簡素化することが可能となる。もっとも、別の実施態様では、マイクロ波照射装置２４による加熱中は、マイクロ波照射装置２４を移動させない構成を採用することも可能である。
【００３９】
ここで、マイクロ波照射装置２４から出射したマイクロ波は、ライナー３を透過して、ライナー３の外部へと放出され得る。この放出され得るマイクロ波を考慮し、本実施形態では、放出されたマイクロ波をライナー３の外表面に向けて反射する反射部材４０が設けられている。反射部材４０は、ライナー３の外表面に対向するように、ライナー３の外表面と非接触で設けられている。反射部材４０の材質としては、マイクロ波を反射するものであればよく、アルミニウムなどの金属を用いればよい。
【００４０】
反射部材４０の形状は、平板状、円弧状、円筒状など、各種のものを用いることができるが、マイクロ波照射装置２４によるマイクロ波の出射方向に関連付けた形状とすることが好ましい。ここでは、反射部材４０は、ライナー３の外表面をライナー３の側方から覆う円筒状のもので形成されている。こうすることで、ライナー３の外部に透過したマイクロ波の全て又はほとんどが、反射マイクロ波として樹脂１１の加熱に供されるようになる。
【００４１】
なお、詳述しなかったが、マイクロ波照射装置２４による加熱を行う場合、ライナー３の内部に圧力をかけてライナー３の内部を封入している。この封入の作業性の効率化の観点によれば、ライナー３内を封入する前に、マイクロ波照射装置２４をライナー３内に配置することが望ましい。
【００４２】
以上説明したように、本実施形態によれば、ライナー３の内側からマイクロ波を照射してライナー３の外表面にある樹脂１１を加熱する。これにより、マイクロ波がライナー３の外表面を直接照射されないので、ライナー３の外表面にある繊維１２に毛羽があったとしても、毛羽によるアーク放電の発生を十分に抑制することができる。したがって、アーク放電の発生による不具合を抑止して、表面性状が良好な補強繊維層４を形成することができ、その結果、補強繊維層４ひいては高圧タンク１の強度を適切に確保することができる。
【００４３】
ところで、ライナー３の外表面には、上述したように、反射部材４０からの反射マイクロ波が照射することになる。しかし、反射マイクロ波は、ライナー３の内部から出射されたマイクロ波と比較して、エネルギーが下がっている。これは、反射マイクロ波は、ライナー３並びに繊維１２及び樹脂１１を一旦透過したものだからである。それゆえ、反射マイクロ波によるアーク放電の発生はしづらい状況となっている。
【００４４】
したがって、反射マイクロ波がライナー３の外表面を照射するものの、そのマイクロ反射による照射では、補強繊維層４の表面性状を低下されることが抑制されている。むしろ、反射マイクロ波を有効に活用しているので、補強繊維層４を形成するための加熱を促進することができ、エネルギー効率を高めることができる。また、ライナー３の外表面を覆う反射部材４０による他の利点として、製造装置２０の体格を小さくすることも挙げられる。これは、反射部材４０によってマイクロ波の外部への放出が抑制されているため、そのための大がかりな設備を製造装置２０に設けなくて済むからである。
【００４５】
＜変形例＞
本発明は、上記した実施形態に限定されるものではなく、当業者であれば、後記の特許請求の範囲に記載された思想の範疇内において、各種の変更例に想到し得ることは明らかであり、それらについても当然に本発明の技術的範囲に属するものと了解される。
【００４６】
例えば、反射部材４０は、ライナー３の外表面の対向する部位に応じて、マイクロ波の反射率を異ならせてもよい。具体例を挙げると、反射部材４０のうち、ドーム部６ｂに対向する部位は、胴部６ａに対向する部位に比べて、マイクロ波の反射率を高くしてもよい。こうすることで、マイクロ波照射装置２４による全体としての加熱量（反射マイクロ波の影響を含む加熱量）が、胴部６ａよりもドーム部６ｂの方が小さい場合に、ライナー３の外表面全体を同等の条件で加熱するのに有用となる。
【００４７】
また、反射率ではなく、ライナー３の外表面に対する反射部材４０の距離について、反射部材４０が対向するライナー３の外表面の部位に応じて異ならせてもよい。具体例を挙げると、反射部材４０のうち、ドーム部６ｂに対向する部位は、胴部６ａに対向する部位に比べて、ライナー３の外表面に近づけてもよい。こうすることで、上記した反射率の場合と同様に、ライナー３の外表面全体を同等の条件で加熱するのに有用となる。
【産業上の利用可能性】
【００４８】
本実施形態の高圧タンク１の製造方法は、補強繊維層を内側層の外表面に形成するものであれば適用することができ、そのようなものとして、例えば、配管を挙げることができる。
【符号の説明】
【００４９】
１：高圧タンク、  ３：ライナー、  ４：補強繊維層、  １１：樹脂、  １２：繊維、  ２０：製造装置、  ２２：繊維巻付け装置、  ２４：マイクロ波照射装置、  ４０：反射部材
【図１】
2012148521.tif 000003
【図２】
2012148521.tif 000004
【図３】
2012148521.tif 000005